(57)【要約】      （修正有）【課題】物品が隠れた場所にあっても容易に見つけられるようにする。【解決手段】物品管理システム１において、物品に予め装着された各第１の端末１０が、振動の検出に応じて第１の振動データと第１の端末ＩＤとを電波で送信し、室内の各所に予め配置された各ビーコン端末が、間欠的にビーコン信号とビーコンＩＤとを電波で送信する。管理装置２０が、第１の振動データとともに受信した第１の端末ＩＤおよびビーコン信号とともに受信したビーコンＩＤを記憶部２４の検出リスト２４Ａに順次記録し、検出リスト２４Ａに記録されている第１の端末ＩＤに関する端末情報と、第１の端末ＩＤと同じ時期に受信されたビーコンＩＤに関する位置情報とを記憶部２４から取得して画面表示する。【選択図】図１
2019219909.tif 000002
【特許請求の範囲】
【請求項１】
管理対象となる物品に予め装着されて、内蔵する加速度センサにより振動が検出された場合、自己を識別するための第１の端末ＩＤを電波で送信する複数の第１の端末と、
前記物品が存在する室内の各所に予め配置されて、間欠的に自己を識別するためのビーコンＩＤを電波で送信する複数のビーコン端末と、
前記第１の端末ＩＤに関する端末情報と前記ビーコンＩＤに関する位置情報とを記憶する記憶部を有し、受信した前記第１の端末ＩＤとその受信時刻を前記記憶部の検出リストに順次記録し、受信した前記ビーコンＩＤとその受信時刻を前記検出リストに順次記録し、前記検出リストに記録されている前記第１の端末ＩＤに関する端末情報と、前記第１の端末ＩＤと同じ時期に受信された前記ビーコンＩＤに関する位置情報とを前記記憶部から取得して画面表示する管理装置と
を備えることを特徴とする物品管理システム。
【請求項２】
管理対象となる物品に予め装着されて、内蔵する加速度センサにより振動が検出された場合、自己を識別するための第１の端末ＩＤを電波で送信する複数の第１の端末と、
前記物品が存在する室内の物体に予め装着されて、内蔵する加速度センサにより振動が検出された場合、自己を識別するための第２の端末ＩＤを電波で送信する複数の第２の端末と、
前記第１の端末ＩＤに関する端末情報と前記第２の端末ＩＤに関する位置情報とを予め記憶する記憶部を有し、受信した前記第１の端末ＩＤとその受信時刻を前記記憶部の検出リストに順次記録し、受信した前記第２の端末ＩＤとその受信時刻を前記検出リストに順次記録し、前記検出リストに記録されている前記第１の端末ＩＤに関する端末情報と、前記第１の端末ＩＤと同じ時期に受信された前記第２の端末ＩＤに関する位置情報とを前記記憶部から取得して画面表示する管理装置と
を備えることを特徴とする物品管理システム。
【請求項３】
請求項２に記載の物品管理システムにおいて、
前記複数の第１の端末は、前記振動が検出されている期間にわたり前記振動を示す第１の振動データを電波で送信し、
前記複数の第２の端末は、前記振動が検出されている期間にわたり前記振動を示す第２の振動データを電波で送信し、
前記管理装置は、前記第１および前記第２の端末ＩＤを記録する際、前記第１の振動データにより振動が検出されている第１の検出期間と、前記第２の振動データにより振動が検出されている第２の検出期間とを比較し、前記第１および第２の検出期間が互いに重複する重複期間の長さまたは検出回数に基づいて、前記検出リストに対する前記第１および前記第２の端末ＩＤの記録可否を判定する
ことを特徴とする物品管理システム。
【請求項４】
請求項３に記載の物品管理システムにおいて、
前記管理装置は、前記第１および前記第２の端末ＩＤを記録する際、前記重複期間の長さが予め設定されている判定期間に達したことを確認した時点から一定長の記録許可期間が経過するまでの間に、前記第１および前記第２の端末ＩＤを受信した場合にのみ、受信した前記第１および前記第２の端末ＩＤを前記検出リストに記録することを特徴とする物品管理システム。
【請求項５】
管理対象となる物品に予め装着されて、内蔵する加速度センサにより振動が検出された場合、自己を識別するための第１の端末ＩＤを電波で送信する複数の第１の端末と、
前記物品が存在する室内の物体に予め装着されて、内蔵する加速度センサにより振動が検出された場合、自己を識別するための第２の端末ＩＤを電波で送信する複数の第２の端末と、
前記第１の端末ＩＤに関する端末情報と前記第２の端末ＩＤに関する位置情報とを予め記憶する記憶部を有し、受信した前記第１の端末ＩＤとその受信時刻、および前記第１の端末ＩＤに関する端末情報とを前記記憶部の検出リストに順次記録し、受信した前記第２の端末ＩＤとその受信時刻、および前記第２の端末ＩＤに関する位置情報とを前記検出リストに順次記録する上位装置と、
前記検出リストに記録されている前記第１の端末ＩＤに関する端末情報と、前記第１の端末ＩＤと同じ時期に受信された前記第２の端末ＩＤに関する位置情報とを示す所在リストを、前記上位装置から取得して画面表示する管理装置と
を備えることを特徴とする物品管理システム。
【請求項６】
請求項５に記載の物品管理システムにおいて、
前記複数の第１の端末は、前記振動が検出されている期間にわたり前記振動を示す第１の振動データを電波で送信し、
前記複数の第２の端末は、前記振動が検出されている期間にわたり前記振動を示す第２の振動データを電波で送信し、
前記上位装置は、前記第１および前記第２の端末ＩＤを記録する際、前記第１の振動データにより振動が検出されている第１の検出期間と、前記第２の振動データにより振動が検出されている第２の検出期間とを比較し、前記第１および第２の検出期間が互いに重複する重複期間の長さまたは検出回数に基づいて、前記検出リストに対する前記第１および前記第２の端末ＩＤの記録可否を判定する
ことを特徴とする物品管理システム。
【請求項７】
請求項５または請求項６に記載の物品管理システムにおいて、
前記管理装置は、操作入力された照合指示に応じて前記検出リストに関する照合要求を前記上位装置へ送信し、これに応じて前記上位装置から情報提供された照合結果を可視、可聴、または振動により報知し、
前記上位装置は、前記管理装置からの前記照合要求に応じて、前記検出リストに含まれる第１の端末ＩＤと前記記憶部で記憶している確認リストに含まれる第１の端末ＩＤとを照合し、得られた照合結果を前記管理装置へ情報提供し、前記照合を行う際、前記検出リストの日時または曜日と対応する検出リストを、前記記憶部に保存されている過去の検出リストから検索し、得られた検出リストに記録されている第１の端末ＩＤのうち記録率が所定値以上の確率である第１の端末ＩＤから前記確認リストを生成する
ことを特徴とする物品管理システム。
【請求項８】
請求項５〜請求項７のいずれかに記載の物品管理システムにおいて、
無線回線を介して前記複数の端末および前記管理装置を収容して前記上位装置に中継接続する無線中継装置をさらに備え、
前記無線中継装置は、時刻管理サーバと同期した標準時刻を計時し、前記第１および第２の端末ＩＤを前記上位装置へ中継転送する際、前記中継転送時の標準時刻を前記第１および第２の端末ＩＤに関する前記受信時刻として前記上位装置へ通知し、
前記上位装置は、前記第１および第２の端末ＩＤを記録する際、前記無線中継装置から通知された前記第１および第２の端末ＩＤに関する受信時刻を前記検出リストに記録する
ことを特徴とする物品管理システム。
【請求項９】
請求項８に記載の物品管理システムにおいて、
前記無線中継装置は、無線中継回線を介して互いに接続された親機と子機からなり、
前記子機は、前記第１および第２の端末または前記管理装置を収容し、前記無線中継回線を介して前記親機に中継接続し、
前記親機は、前記子機を介して中継接続された前記第１および第２の端末または前記管理装置を前記上位装置に中継接続し、前記上位装置へ前記受信時刻を通知する際、予め計測して得られた前記無線中継回線における遅延時間に基づいて前記受信時刻を補正した後、前記上位装置へ通知する
ことを特徴とする物品管理システム。
【請求項１０】
物品に予め装着した複数の端末から送信される端末ＩＤに基づいて、管理装置が物品を管理する物品管理システムで用いられて、
前記複数の端末のうちの複数の第１の端末が、管理対象となる物品に予め装着されて、内蔵する加速度センサにより振動が検出された場合、自己を識別するための第１の端末ＩＤを電波で送信するステップと、
前記物品が存在する室内の各所に予め配置された複数のビーコン端末が、間欠的に自己を識別するためのビーコンＩＤを電波で送信するステップと、
前記管理装置が、前記第１の端末ＩＤに関する端末情報と前記ビーコンＩＤに関する位置情報とを記憶する記憶部を有し、受信した前記第１の端末ＩＤとその受信時刻を前記記憶部の検出リストに順次記録し、受信した前記ビーコンＩＤとその受信時刻を前記検出リストに順次記録し、前記検出リストに記録されている前記第１の端末ＩＤに関する端末情報と、前記第１の端末ＩＤと同じ時期に受信された前記ビーコンＩＤに関する位置情報とを前記記憶部から取得して画面表示するステップと
を備えることを特徴とする物品管理方法。
【請求項１１】
物品に予め装着した複数の端末から送信される端末ＩＤに基づいて、管理装置が物品を管理する物品管理システムで用いられて、
前記複数の端末のうちの複数の第１の端末が、管理対象となる物品に予め装着されて、内蔵する加速度センサにより振動が検出された場合、自己を識別するための第１の端末ＩＤを電波で送信するステップと、
前記複数の端末のうちの複数の第２の端末が、前記物品が存在する室内の物体に予め装着されて、内蔵する加速度センサにより振動が検出された場合、自己を識別するための第２の端末ＩＤを電波で送信するステップと、
前記管理装置が、前記第１の端末ＩＤに関する端末情報と前記第２の端末ＩＤに関する位置情報とを予め記憶する記憶部を有し、受信した前記第１の端末ＩＤとその受信時刻を前記記憶部の検出リストに順次記録し、受信した第２の端末ＩＤとその受信時刻を前記検出リストに順次記録し、前記検出リストに記録されている前記第１の端末ＩＤに関する端末情報と、前記第１の端末ＩＤと同じ時期に受信された前記第２の端末ＩＤに関する位置情報とを前記記憶部から取得して画面表示するステップと
を備えることを特徴とする物品管理方法。
【請求項１２】
物品に予め装着した複数の端末から送信される端末ＩＤに基づいて、上位装置が物品を管理して管理装置へ情報提供する物品管理システムで用いられて、
前記複数の端末のうちの複数の第１の端末が、管理対象となる物品に予め装着されて、内蔵する第１の加速度センサにより振動が検出された場合、前記振動の検出を示す第１の振動データと自己を識別するための第１の端末ＩＤとを電波で送信するステップと、
前記複数の端末のうちの複数の第２の端末が、前記物品が存在する室内の各所に配置されて、内蔵する第２の加速度センサにより振動が検出された場合、前記振動の検出を示す第２の振動データと自己を識別するための第２の端末ＩＤとを電波で送信するステップと、
前記上位装置が、前記第１の端末ＩＤに関する端末情報と前記第２の端末ＩＤに関する位置情報とを予め記憶する記憶部を有し、受信した前記第１の端末ＩＤとその受信時刻、および前記第１の端末ＩＤに関する端末情報とを前記記憶部の検出リストに順次記録し、受信した前記第２の端末ＩＤとその受信時刻、および前記第２の端末ＩＤに関する位置情報とを前記検出リストに順次記録するステップと、
前記管理装置が、前記検出リストに記録されている前記第１の端末ＩＤに関する端末情報と、前記第１の端末ＩＤと同じ時期に受信された前記第２の端末ＩＤに関する位置情報とを示す所在リストを、前記上位装置から取得して画面表示するステップと
を備えることを特徴とする物品管理方法。
【発明の詳細な説明】
【技術分野】
【０００１】
本発明は、物品に予め装着した複数の端末から送信される端末ＩＤに基づいて、物品を管理する物品管理技術に関する。
【背景技術】
【０００２】
従来、利用者が所持品などの物品を探索する技術として、赤外線に反応して音声や光を出力する小型の端末を物品に端末しておき、所在が分からない物品を探索する場合にはリモコンから赤外線を送信し、これに応じて端末から出力された音声や光に基づいて、物品の所在を探索する技術が提案されている（例えば、特許文献１など参照）。
【先行技術文献】
【特許文献】
【０００３】
【特許文献１】特開２００２−１０９６５７号公報
【発明の概要】
【発明が解決しようとする課題】
【０００４】
しかしながら、このような従来技術では、リモコンからの赤外線の検出に応じて端末からの音声や光が出力されるため、赤外線が届く範囲しか探索できず、引き出しや戸棚の中など隠れた場所に端末がある場合には、見つけることができないという問題点があった。
本発明はこのような課題を解決するためのものであり、物品が隠れた場所にあっても容易に見つけることができる物品管理技術を提供することを目的としている。
【課題を解決するための手段】
【０００５】
このような目的を達成するために、本発明にかかる物品管理システムは、管理対象となる物品に予め装着されて、内蔵する加速度センサにより振動が検出された場合、自己を識別するための第１の端末ＩＤを電波で送信する複数の第１の端末と、前記物品が存在する室内の各所に予め配置されて、間欠的に自己を識別するためのビーコンＩＤを電波で送信する複数のビーコン端末と、前記第１の端末ＩＤに関する端末情報と前記ビーコンＩＤに関する位置情報とを記憶する記憶部を有し、受信した前記第１の端末ＩＤとその受信時刻を前記記憶部の検出リストに順次記録し、受信した前記ビーコンＩＤとその受信時刻を前記検出リストに順次記録し、前記検出リストに記録されている前記第１の端末ＩＤに関する端末情報と、前記第１の端末ＩＤと同じ時期に受信された前記ビーコンＩＤに関する位置情報とを前記記憶部から取得して画面表示する管理装置とを備えている。
【０００６】
また、本発明にかかる他の物品管理システムは、管理対象となる物品に予め装着されて、内蔵する加速度センサにより振動が検出された場合、自己を識別するための第１の端末ＩＤを電波で送信する複数の第１の端末と、前記物品が存在する室内の物体に予め装着されて、内蔵する加速度センサにより振動が検出された場合、自己を識別するための第２の端末ＩＤを電波で送信する複数の第２の端末と、前記第１の端末ＩＤに関する端末情報と前記第２の端末ＩＤに関する位置情報とを予め記憶する記憶部を有し、受信した前記第１の端末ＩＤとその受信時刻を前記記憶部の検出リストに順次記録し、受信した前記第２の端末ＩＤとその受信時刻を前記検出リストに順次記録し、前記検出リストに記録されている前記第１の端末ＩＤに関する端末情報と、前記第１の端末ＩＤと同じ時期に受信された前記第２の端末ＩＤに関する位置情報とを前記記憶部から取得して画面表示する管理装置とを備えている。
【０００７】
また、本発明にかかる上記物品管理システムの一構成例は、前記複数の第１の端末は、前記振動が検出されている期間にわたり前記振動を示す第１の振動データを電波で送信し、前記複数の第２の端末は、前記振動が検出されている期間にわたり前記振動を示す第２の振動データを電波で送信し、前記管理装置は、前記第１および前記第２の端末ＩＤを記録する際、前記第１の振動データにより振動が検出されている第１の検出期間と、前記第２の振動データにより振動が検出されている第２の検出期間とを比較し、前記第１および第２の検出期間が互いに重複する重複期間の長さまたは検出回数に基づいて、前記検出リストに対する前記第１および前記第２の端末ＩＤの記録可否を判定するようにしたものである。
【０００８】
また、本発明にかかる上記物品管理システムの一構成例は、前記管理装置が、前記第１および前記第２の端末ＩＤを記録する際、前記重複期間の長さが予め設定されている判定期間に達したことを確認した時点から一定長の記録許可期間が経過するまでの間に、前記第１および前記第２の端末ＩＤを受信した場合にのみ、受信した前記第１および前記第２の端末ＩＤを前記検出リストに記録するようにしたものである。
【０００９】
また、本発明にかかる他の物品管理システムは、管理対象となる物品に予め装着されて、内蔵する加速度センサにより振動が検出された場合、自己を識別するための第１の端末ＩＤを電波で送信する複数の第１の端末と、前記物品が存在する室内の物体に予め装着されて、内蔵する加速度センサにより振動が検出された場合、自己を識別するための第２の端末ＩＤを電波で送信する複数の第２の端末と、前記第１の端末ＩＤに関する端末情報と前記第２の端末ＩＤに関する位置情報とを予め記憶する記憶部を有し、受信した前記第１の端末ＩＤとその受信時刻、および前記第１の端末ＩＤに関する端末情報とを前記記憶部の検出リストに順次記録し、受信した前記第２の端末ＩＤとその受信時刻、および前記第２の端末ＩＤに関する位置情報とを前記検出リストに順次記録する上位装置と、前記検出リストに記録されている前記第１の端末ＩＤに関する端末情報と、前記第１の端末ＩＤと同じ時期に受信された前記第２の端末ＩＤに関する位置情報とを示す所在リストを、前記上位装置から取得して画面表示する管理装置とを備えている。
【００１０】
また、本発明にかかる上記物品管理システムの一構成例は、前記複数の第１の端末は、前記振動が検出されている期間にわたり前記振動を示す第１の振動データを電波で送信し、前記複数の第２の端末は、前記振動が検出されている期間にわたり前記振動を示す第２の振動データを電波で送信し、前記上位装置は、前記第１および前記第２の端末ＩＤを記録する際、前記第１の振動データにより振動が検出されている第１の検出期間と、前記第２の振動データにより振動が検出されている第２の検出期間とを比較し、前記第１および第２の検出期間が互いに重複する重複期間の長さまたは検出回数に基づいて、前記検出リストに対する前記第１および前記第２の端末ＩＤの記録可否を判定するようにしたものである。
【００１１】
また、本発明にかかる上記物品管理システムの一構成例は、前記管理装置が、操作入力された照合指示に応じて前記検出リストに関する照合要求を前記上位装置へ送信し、これに応じて前記上位装置から情報提供された照合結果を可視、可聴、または振動により報知し、前記上位装置は、前記管理装置からの前記照合要求に応じて、前記検出リストに含まれる第１の端末ＩＤと前記記憶部で記憶している確認リストに含まれる第１の端末ＩＤとを照合し、得られた照合結果を前記管理装置へ情報提供し、前記照合を行う際、前記検出リストの日時または曜日と対応する検出リストを、前記記憶部に保存されている過去の検出リストから検索し、得られた検出リストに記録されている第１の端末ＩＤのうち記録率が所定値以上の確率である第１の端末ＩＤから前記確認リストを生成するようにしたものである。
【００１２】
また、本発明にかかる上記物品管理システムの一構成例は、無線回線を介して前記複数の端末および前記管理装置を収容して前記上位装置に中継接続する無線中継装置をさらに備え、前記無線中継装置は、時刻管理サーバと同期した標準時刻を計時し、前記第１および第２の端末ＩＤを前記上位装置へ中継転送する際、前記中継転送時の標準時刻を前記第１および第２の端末ＩＤに関する前記受信時刻として前記上位装置へ通知し、前記上位装置は、前記第１および第２の端末ＩＤを記録する際、前記無線中継装置から通知された前記第１および第２の端末ＩＤに関する受信時刻を前記検出リストに記録するようにしたものである。
【００１３】
また、本発明にかかる上記物品管理システムの一構成例は、前記無線中継装置が、無線中継回線を介して互いに接続された親機と子機からなり、前記子機は、前記第１および第２の端末または前記管理装置を収容し、前記無線中継回線を介して前記親機に中継接続し、前記親機は、前記子機を介して中継接続された前記第１および第２の端末または前記管理装置を前記上位装置に中継接続し、前記上位装置へ前記受信時刻を通知する際、予め計測して得られた前記無線中継回線における遅延時間に基づいて前記受信時刻を補正した後、前記上位装置へ通知するようにしたものである。
【００１４】
また、本発明にかかる物品管理システムは、物品に予め装着した複数の端末から送信される端末ＩＤに基づいて、管理装置が物品を管理する物品管理システムで用いられて、前記複数の端末のうちの複数の第１の端末が、管理対象となる物品に予め装着されて、内蔵する加速度センサにより振動が検出された場合、自己を識別するための第１の端末ＩＤを電波で送信するステップと、前記物品が存在する室内の各所に予め配置された複数のビーコン端末が、間欠的に自己を識別するためのビーコンＩＤを電波で送信するステップと、前記管理装置が、前記第１の端末ＩＤに関する端末情報と前記ビーコンＩＤに関する位置情報とを記憶する記憶部を有し、受信した前記第１の端末ＩＤとその受信時刻を前記記憶部の検出リストに順次記録し、受信した前記ビーコンＩＤとその受信時刻を前記検出リストに順次記録し、前記検出リストに記録されている前記第１の端末ＩＤに関する端末情報と、前記第１の端末ＩＤと同じ時期に受信された前記ビーコンＩＤに関する位置情報とを前記記憶部から取得して画面表示するステップとを備えている。
【００１５】
また、本発明にかかる他の物品管理システムは、物品に予め装着した複数の端末から送信される端末ＩＤに基づいて、管理装置が物品を管理する物品管理システムで用いられて、前記複数の端末のうちの複数の第１の端末が、管理対象となる物品に予め装着されて、内蔵する加速度センサにより振動が検出された場合、自己を識別するための第１の端末ＩＤを電波で送信するステップと、前記複数の端末のうちの複数の第２の端末が、前記物品が存在する室内の物体に予め装着されて、内蔵する加速度センサにより振動が検出された場合、自己を識別するための第２の端末ＩＤを電波で送信するステップと、前記管理装置が、前記第１の端末ＩＤに関する端末情報と前記第２の端末ＩＤに関する位置情報とを予め記憶する記憶部を有し、受信した前記第１の端末ＩＤとその受信時刻を前記記憶部の検出リストに順次記録し、受信した第２の端末ＩＤとその受信時刻を前記検出リストに順次記録し、前記検出リストに記録されている前記第１の端末ＩＤに関する端末情報と、前記第１の端末ＩＤと同じ時期に受信された前記第２の端末ＩＤに関する位置情報とを前記記憶部から取得して画面表示するステップとを備えている。
【００１６】
また、本発明にかかる他の物品管理システムは、物品に予め装着した複数の端末から送信される端末ＩＤに基づいて、上位装置が物品を管理して管理装置へ情報提供する物品管理システムで用いられて、前記複数の端末のうちの複数の第１の端末が、管理対象となる物品に予め装着されて、内蔵する第１の加速度センサにより振動が検出された場合、前記振動の検出を示す第１の振動データと自己を識別するための第１の端末ＩＤとを電波で送信するステップと、前記複数の端末のうちの複数の第２の端末が、前記物品が存在する室内の各所に配置されて、内蔵する第２の加速度センサにより振動が検出された場合、前記振動の検出を示す第２の振動データと自己を識別するための第２の端末ＩＤとを電波で送信するステップと、前記上位装置が、前記第１の端末ＩＤに関する端末情報と前記第２の端末ＩＤに関する位置情報とを予め記憶する記憶部を有し、受信した前記第１の端末ＩＤとその受信時刻、および前記第１の端末ＩＤに関する端末情報とを前記記憶部の検出リストに順次記録し、受信した前記第２の端末ＩＤとその受信時刻、および前記第２の端末ＩＤに関する位置情報とを前記検出リストに順次記録するステップと、前記管理装置が、前記検出リストに記録されている前記第１の端末ＩＤに関する端末情報と、前記第１の端末ＩＤと同じ時期に受信された前記第２の端末ＩＤに関する位置情報とを示す所在リストを、前記上位装置から取得して画面表示するステップとを備えている。
【発明の効果】
【００１７】
本発明によれば、物品に装着された端末から振動検出に応じて無線で送信された端末ＩＤに関する端末情報と、物品が存在する室内の各所に配置されたビーコン端末から無線で送信されたビーコンＩＤに関する位置情報、あるいは、物品が存在する室内の物体に予め装着された端末から振動検出に応じて無線で送信された端末ＩＤに関する位置情報とが、管理端末に画面表示される。したがって、物品を直接あるいは間接的に振動させることにより、物品が隠れた場所にあっても容易に見つけることが可能となる。
【図面の簡単な説明】
【００１８】
【図１】第１の実施の形態にかかる物品管理システムの構成を示すブロック図である。
【図２】ビーコン端末の配置例である。
【図３】検出リストの構成例である。
【図４】第１の実施の形態にかかる物品管理動作を示すシーケンス図である。
【図５】第２の実施の形態にかかる物品管理システムの構成を示すブロック図である。
【図６】第２の端末の配置例である。
【図７】第２の実施の形態にかかる物品管理動作を示すシーケンス図である。
【図８】物品の所在確認動作例である。
【図９】加速度データと振動データとの関係を示す信号波形図である。
【図１０】第１および第２の振動データの比較例を示す信号波形図である。
【図１１】第１および第２の振動データの比較例（カウンタ）を示す信号波形図である。
【図１２】第４の実施の形態にかかる物品管理システムの構成を示すブロック図である。
【図１３】第４の実施の形態にかかる物品管理動作を示すシーケンス図である。
【発明を実施するための形態】
【００１９】
次に、本発明の実施の形態について図面を参照して説明する。
［第１の実施の形態］
まず、図１を参照して、本発明の第１の実施の形態にかかる物品管理システム１について説明する。図１は、第１の実施の形態にかかる物品管理システムの構成を示すブロック図である。
【００２０】
この物品管理システム１は、管理対象となる物品に予め装着されて固有の第１の端末ＩＤを電波で送信する複数の第１の端末１０と、物品が存在する室内の各所に予め配置されて、間欠的にビーコン信号とビーコンＩＤとを電波で送信する複数のビーコン端末１５と、これら第１の端末１０およびビーコン端末１５から電波で送信される第１の端末ＩＤおよびビーコンＩＤに基づいて、物品を管理する管理装置２０とから構成されている。
【００２１】
物品管理システム１の具体例としては、室内で紛失した所持品を探索する所持品探索システムや、利用者が所持すべき所持品を所持しているかどうかチェックする忘れ物通知システムがある。以下では、物品管理システム１が上記所持品探索システムあるいは忘れ物通知システムとして用いられる場合を例として説明する。
【００２２】
［端末］
まず、図１を参照して、第１の端末１０の構成について詳細に説明する。
第１の端末１０は、全体として、ＢＬＥ（Bluetooth Low Energy：Bluetoothは登録商標）などの近距離無線通信規格に基づいて無線通信を行う小型の無線端末からなり、具体例としては、無線タグやＲＦＩＤタグなどがある。図１に示すように、第１の端末１０は、主な回路部として、加速度センサ１１、Ａ／Ｄ変換器１２、および無線回路１３を備えている。
【００２３】
加速度センサ１１（第１の加速度センサ）は、第１の端末１０が装着されている物品の振動を検出し加速度信号を出力する機能を有している。
Ａ／Ｄ変換器１２は、加速度センサ１１からの加速度信号を加速度データにＡ／Ｄ変換して出力する機能を有している。
【００２４】
無線回路１３は、Ａ／Ｄ変換器１２からの加速度データに基づいて物品に関する振動を検出する機能と、振動の検出に応じて第１の振動データを電波で送信する機能と、第１の振動データを送信する際、予め設定されている自己を識別するための第１の端末ＩＤを電波で送信する機能とを有している。この際、第１の端末ＩＤを第１の振動データとして送信してもよい。
【００２５】
［ビーコン端末］
ビーコン端末１５は、一般的なビーコン端末であり、一定周期でビーコン信号とビーコンＩＤとを電波で送信する小型の無線端末である。ビーコン端末１５は、例えば、管理対象となる物品が収納される引き出し、タンス、押し入れのほか、玄関、キッチン、扉、壁、柱など、物品が存在する室内の各所に装着される。これにより、ビーコンＩＤから室内の場所を特定することができる。
図２は、ビーコン端末の配置例である。ここでは、部屋の引き出し、タンス、押し入れのほか、玄関、キッチン、扉などの物体に、ビーコン端末１５が配置されている。
【００２６】
［管理装置］
次に、図１を参照して、管理装置２０について詳細に説明する。
管理装置２０は、全体として、スマートホン、タブレット、携帯電話機などの情報処理端末からなる。図１に示すように、管理装置２０は、主な機能部として、無線Ｉ／Ｆ部２１、操作入力部２２、表示部２３、記憶部２４、端末記録部２５、および端末管理部２６を備えており、内部バスを介してデータ転送自在に接続されている。これら機能部のうち、端末記録部２５および端末管理部２６は、ＣＰＵ（図示せず）と記憶部２４のプログラム２４Ｐとが協働することにより実現される。
【００２７】
無線Ｉ／Ｆ部２１は、ＢＬＥなどの近距離無線通信規格に基づいて、第１の端末１０およびビーコン端末１５との間でデータ通信を行う機能を有している。
操作入力部２２は、タッチパネルや操作ボタンなどの操作入力装置からなり、利用者の操作を検出する機能を有している。
表示部２３は、ＬＣＤなどの画面表示装置を有し、後述する検出リストなどの各種情報を画面表示する機能を有している。
【００２８】
記憶部２４は、半導体メモリなどの記憶装置からなり、管理装置２０での物品管理処理に用いる処理データやプログラム２４Ｐを記憶する機能を有している。
記憶部２４で記憶する主な処理データとして、検出リスト２４Ａおよび探索管理情報２４Ｂがある。
【００２９】
図３は、検出リストの構成例である。ここでは、振動を検出した第１の端末１０の第１の端末ＩＤと、第１の端末１０から電波で送信された第１の端末ＩＤを受信した受信時刻と、第１の端末ＩＤと関連する端末情報との組、および、受信したビーコンＩＤと、ビーコンＩＤを受信した受信時刻と、ビーコンＩＤと関連する位置情報との組が、リストとして記録されている。図３の例では、第１の端末ＩＤ「０００１」および「０００２」と、ビーコンＩＤ「１００１」とが、同時期である受信時刻「７：３０」に受信されたことが記録されている。
【００３０】
探索管理情報２４Ｂは、第１の端末ＩＤと関連する端末情報、および、ビーコンＩＤと関連する位置情報が、予め登録されている。端末情報としては、例えば免許証、鍵、社員証、財布、カバンなど、管理対象となる物品の名称が第１の端末ＩＤと関連付けて登録されている。また、位置情報としては、例えば引き出し、タンス、押し入れのほか、玄関、キッチン、扉などの位置を示す名称が登録されている。
【００３１】
プログラム２４Ｐは、管理装置２０での物品管理処理を行う際、記憶部２４から読み出されてＣＰＵで実行されるプログラムである。このプログラム２４Ｐは、管理装置２０に接続された外部装置や記録媒体（ともに図示せず）から読み出されて、予め記憶部２４に保存される。プログラム２４Ｐは、スマートホンやタブレットで実行されるアプリケーションソフトで実現してもよい。
【００３２】
端末記録部２５は、無線Ｉ／Ｆ部２１による、第１の端末１０から電波で送信された第１の振動データの受信に応じて、その第１の振動データとともに受信した第１の端末ＩＤとその第１の端末ＩＤを受信した受信時刻を、記憶部２４の検出リスト２４Ａに順次記録する機能と、無線Ｉ／Ｆ部２１による、ビーコン端末１５から電波で送信されたビーコン信号の受信に応じて、そのビーコン信号とともに受信したビーコンＩＤさらにはそのビーコンＩＤを受信した受信時刻を、記憶部２４の検出リスト２４Ａに順次記録する機能とを有している。
【００３３】
端末管理部２６は、第１の端末ＩＤの記録時、ビーコンＩＤの記録時、あるいは、操作入力部２２で検出された利用者の確認指示に応じて、検出リスト２４Ａに記録されている第１の端末ＩＤに関する端末情報と、第１の端末ＩＤと同じ時期に受信されたビーコンＩＤに関する位置情報とを、探索管理情報２４Ｂから取得して表示部２３で画面表示する機能を有している。
【００３４】
［第１の実施の形態の動作］
次に、図４を参照して、本実施の形態にかかる物品管理システム１の動作について説明する。図４は、第１の実施の形態にかかる物品管理動作を示すシーケンス図である。
ここでは、所持品を所持して利用者が室内を移動する際、利用者のスマートホンで所持品の位置を記録する場合を例として説明する。なお、管理装置２０の機能を実現するアプリがスマートホンにインストールされているものとする。
【００３５】
利用者が所持品を所持して室内を移動した場合、第１の端末１０の加速度センサ１１により振動が検出されて（ステップ１００）、振動の検出を示す第１の振動データと第１の端末ＩＤとが、第１の端末１０の無線回路１３から電波で送信される（ステップ１０１）。
管理装置２０は、無線Ｉ／Ｆ部２１による第１の端末１０からの第１の振動データの受信に応じて、端末記録部２５が、その第１の振動データとともに受信した第１の端末ＩＤを検出リスト２４Ａに順次記録する（ステップ１０２）。
【００３６】
一方、管理装置２０は、無線Ｉ／Ｆ部２１によるビーコン端末１５からのビーコン信号の受信に応じて（ステップ１０３）、端末記録部２５が、そのビーコン信号とともに受信したビーコンＩＤを検出リスト２４Ａに順次記録する（ステップ１０４）。
【００３７】
この後、管理装置２０において、操作入力部２２により利用者による確認操作が検出された場合（ステップ１１０）、端末管理部２６は、記憶部２４の検出リスト２４Ａに記録されている第１の端末ＩＤに関する端末情報と、第１の端末ＩＤと同じ時期に受信されたビーコンＩＤに関する位置情報とを表示部２３で画面表示する（ステップ１１１）。
これにより、利用者は、位置情報に基づいて端末情報が示す物品の移動軌跡を確認することができ、結果として物品の所在を特定することができる。
【００３８】
［第１の実施の形態の効果］
このように、本実施の形態は、管理対象となる物品に予め装着された各第１の端末１０が、内蔵する加速度センサ１１により振動を検出した場合、振動の検出を示す第１の振動データと自己を識別するための第１の端末ＩＤとを電波で送信し、物品が存在する室内の各所に予め配置された各ビーコン端末１５が、間欠的にビーコン信号と自己を識別するためのビーコンＩＤとを電波で送信し、管理装置２０が、第１の振動データとともに受信した第１の端末ＩＤ、および、ビーコン信号とともに受信したビーコンＩＤを記憶部２４の検出リスト２４Ａに順次記録し、検出リスト２４Ａに記録されている第１の端末ＩＤに関する端末情報と、第１の端末ＩＤと同じ時期に受信されたビーコンＩＤに関する位置情報とを記憶部２４から取得して画面表示するようにしたものである。
【００３９】
これにより、利用者が持ち歩いた物品に装着されている第１の端末１０から電波で送信された第１の端末ＩＤが受信時刻とともに検出リスト２４Ａに記録される。また、利用者の移動先に配置されているビーコン端末１５から電波で送信されたビーコンＩＤが受信時刻とともに検出リスト２４Ａに記録される。したがって、同じ時刻に検出リスト２４Ａに記録された、第１の端末ＩＤに関する端末情報とビーコンＩＤに関する位置情報とを追跡すれば、赤外線が届かない場所であっても、いつ物品がどこを移動したか、すなわち物品の移動軌跡が確認できる。このため、物品が隠れた場所にあっても容易に見つけることが可能となる。
【００４０】
［第２の実施の形態］
次に、図５を参照して、本発明の第２の実施の形態にかかる物品管理システム１について説明する。図５は、第２の実施の形態にかかる物品管理システムの構成を示すブロック図である。
本実施の形態では、物品に装着された第１の端末１０Ｘと、室内の物体に装着された第２の端末１０Ｙとで、同時期に振動が検出された際に、物品が物体とがほぼ同じ位置に存在すると判定する場合について説明する。
【００４１】
すなわち、本実施の形態において、第１の端末１０Ｘおよび第２の端末１０Ｙは、全体として、ＢＬＥなどの近距離無線通信規格に基づいて無線通信を行う小型の無線端末からなり、具体例としては、無線タグやＲＦＩＤタグなどがある。図１と同様に、第１の端末１０Ｘおよび第２の端末１０Ｙは、主な回路部として、加速度センサ１１、Ａ／Ｄ変換器１２、および無線回路１３を備えている。これら機能部については、第１の実施の形態と同様であり、ここでの説明は省略する。
【００４２】
図６は、第２の端末の配置例である。ここでは、部屋の引き出し、タンス、押し入れのほか、玄関ドア、キッチンドア、扉など、利用者の操作や動きに応じて振動あるいは可動する物体に、第２の端末１０Ｙが配置されている。なお、第２の端末１０Ｙの構成については、加速度センサ１１を第２の加速度センサと呼ぶ以外、図５に示した第１の端末１０Ｘと同様であり、ここでの説明は省略する。
【００４３】
また、管理装置２０において、記憶部２４は、第１の端末ＩＤに関する端末情報と第２の端末ＩＤに関する端末情報とを予め記憶する機能を有している。
端末記録部２５は、第１の振動データとともに受信した第１の端末ＩＤとその受信時刻を記憶部２４の検出リスト２４Ａに順次記録し、第２の振動データとともに受信した第２の端末ＩＤとその受信時刻を検出リスト２４Ａに順次記録し、検出リスト２４Ａに記録されている第１の端末ＩＤに関する端末情報と、第１の端末ＩＤと同じ時期に受信された第２の端末ＩＤに関する位置情報とを記憶部２４の探索管理情報２４Ｂから取得して表示部２３で画面表示する機能とを有している。
【００４４】
［第２の実施の形態の動作］
次に、図７を参照して、本実施の形態にかかる物品管理システム１の動作について説明する。図７は、第２の実施の形態にかかる物品管理動作を示すシーケンス図である。
ここでは、所持品を所持して利用者が室内を移動する際、利用者のスマートホンで所持品の位置を記録する場合を例として説明する。なお、管理装置２０の機能を実現するアプリがスマートホンにインストールされているものとする。
【００４５】
所持品が収納されている引き出しを利用者が開けた場合、所持品（物品）に装着されている第１の端末１０Ｘと、引き出し（物体）に装着されている第２の端末１０Ｙとで、同時に振動が検出される（ステップ２００）。
これにより、第１の振動データと第１の端末ＩＤとが第１の端末１０Ｘの無線回路１３から電波で送信されるとともに、第２の振動データと第２の端末ＩＤとが、第２の端末１０Ｙの無線回路１３から電波で送信される（ステップ２０１）。
【００４６】
管理装置２０は、無線Ｉ／Ｆ部２１による第１の振動データの受信に応じて、端末記録部２５が、その第１の振動データとともに受信した第１の端末ＩＤとその受信時刻とを検出リスト２４Ａに順次記録するとともに、無線Ｉ／Ｆ部２１による第２の振動データの受信に応じて、端末記録部２５が、その第２の振動データとともに受信した第２の端末ＩＤとその受信時刻とを検出リスト２４Ａに順次記録する（ステップ２０２）。
【００４７】
この後、端末管理部２６は、記憶部２４の検出リスト２４Ａに記録されている第１の端末ＩＤに関する端末情報と、第２の端末ＩＤに関する位置情報とを、探索管理情報２４Ｂから取得して表示部２３で画面表示する（ステップ２０３）。なお、操作入力部２２により利用者による確認操作が検出された場合に、端末情報と位置情報とを画面表示するようにしてもよい。
これにより、利用者は、画面表示された位置情報に基づいて端末情報が示す物品の所在を確認することができる。
【００４８】
図８は、物品の所在確認動作例である。ここでは、会社員が、朝、会社へ出勤する際に持ち物をチェックする場合が例として示されている。所持品として免許証３１、鍵３２、社員証３３、および財布３４が、カバン３０に入っている。この際、免許証３１、鍵３２、社員証３３、および財布３４には、それぞれ第１の端末ＩＤが「０００１」、「０００２」、「０００３」、「０００４」の第１の端末１０Ａ，１０Ｂ，１０Ｃ，１０Ｄ（１０Ｘ）が装着されている。また、カバン３０には、第２の端末ＩＤが「１００１」の第２の端末１０Ｅ（１０Ｙ）が装着されている。
【００４９】
この場合、利用者がカバン３０を持ち上げた場合、免許証３１、鍵３２、社員証３３、、および財布３４の各第１の端末１０Ａ，１０Ｂ，１０Ｃ，１０Ｄが、それぞれ振動を検出して第１の振動データと自己の第１の端末ＩＤとを電波で送信する。また、カバン３０の第２の端末１０Ｅが、振動を検出して第２の振動データと自己の第２の端末ＩＤとを電波で送信する。
【００５０】
管理装置２０であるスマートホンは、これら第１の端末１０Ａ，１０Ｂ，１０Ｃ，１０Ｄからの第１の振動データとともに受信した第１の端末ＩＤを検出リスト２４Ａに記録するとともに、第２の端末１０Ｅからの第２の振動データとともに受信した第２の端末ＩＤを検出リスト２４Ａに記録する。そして、これら第１の端末ＩＤに関連する端末情報と、同じ時期に受信した第２の端末ＩＤに関連する位置情報と、受信時刻とを、記憶部２４の探索管理情報２４Ｂから取得し、所在リストとして画面表示する。
【００５１】
これにより、利用者は、スマートホンに画面表示された所在リストを見ることにより、カバン３０の中に免許証３１、鍵３２、社員証３３、および財布３４が入っていることを容易に確認することができる。
【００５２】
［第２の実施の形態の効果］
このように、本実施の形態は、管理対象となる物品に予め装着されて、検出した振動を示す第１の振動データと第１の端末ＩＤとを電波で送信する複数の第１の端末１０Ｘと、物品が存在する室内の物体に装着されて、検出した振動を示す第２の振動データと第２の端末ＩＤとを電波で送信する複数の第２の端末１０Ｙとを備え、管理装置２０が、記憶部２４で第１の端末ＩＤに関する端末情報と第２の端末ＩＤに関する位置情報とを予め記憶し、第１の振動データとともに受信した第１の端末ＩＤとその受信時刻を検出リスト２４Ａに順次記録し、第２の振動データとともに受信した第２の端末ＩＤとその受信時刻を検出リスト２４Ａに順次記録し、検出リスト２４Ａに記録されている第１の端末ＩＤに関する端末情報と、第１の端末ＩＤと同じ時期に受信された第２の端末ＩＤに関する位置情報とを記憶部２４から取得して表示部２３で画面表示するようにしたものである。
【００５３】
これにより、利用者が物体を操作した場合、物体の振動に応じて、物体に収納、載置、あるいは係止されている物品も振動することになる。このため、物品に装着されている第１の端末１０Ｘからの第１の端末ＩＤと、物体に装着されている第２の端末１０Ｙからの第２の端末ＩＤとが、同時期に検出リスト２４Ａに記録される。したがって、第１の端末ＩＤに関する端末情報と第２の端末ＩＤに関する位置情報とを画面表示することにより、どの物品がどの物体に収納、載置、あるいは係止されているかを容易に確認できる。
【００５４】
［第３の実施の形態］
次に、本発明の第３の実施の形態にかかる物品管理システム１について説明する。
本実施の形態では、第２の実施の形態において、第１の端末１０Ｘおよび第２の端末１０Ｙでの振動が同時に検出された際に、第１の端末１０Ｘおよび第２の端末１０Ｙから第１および第２のの端末ＩＤを検出リスト２４Ａに記録する場合について説明する。
【００５５】
すなわち、本実施の形態において、端末記録部２５は、第１および第２の端末ＩＤを記録する際、第１の振動データＤＸにより振動が検出されている第１の検出期間と、第２の振動データＤＹにより振動が検出されている第２の検出期間とを比較する機能と、第１および第２の検出期間が互いに重複する重複期間の長さまたは検出回数に基づいて、検出リスト２４Ａに対する第１および第２の端末ＩＤの記録可否を判定し、記録可の判定に応じて第１および第２の端末ＩＤを検出リスト２４Ａに順次記録する機能とを有している。
本実施の形態にかかる物品管理システム１、第１の端末１０Ｘ、第２の端末１０Ｙ、および管理装置２０に関するその他の構成については、第２の実施の形態と同様であり、ここでの説明は省略する。
【００５６】
図９は、加速度データと振動データとの関係を示す信号波形図である。図９に示すように、加速度データ（加速度信号）は、振動の強弱に応じて振幅が大きく変化する。このため、第１の端末１０Ｘおよび第２の端末１０Ｙの無線回路１３で、閾値処理を行うことにより、安定した振動データが得られる。閾値処理としては、例えば高低２つの閾値と比較し、得られた両方の出力を排他的論理和処理して振動データを生成するようにしてもよい。なお、これら加速度データについては、端末記録部２５で閾値処理を行うようにしてもよく、第１の端末１０Ｘおよび第２の端末１０Ｙの回路構成や消費電力を軽減できる。
【００５７】
図１０は、第１および第２の振動データの比較例を示す信号波形図である。図１０に示すように、端末記録部２５は、第１の振動データＤＸと第２の振動データＤＹとを論理積処理し、第１および第２の検出期間が互いに重複する重複期間ＤＤを特定する。得られたＤＤの時間長Ｔが判定期間Ｔｅｎ以上連続して検出された場合、検出リスト２４Ａに対する端末ＩＤの記録可と判定し、ＤＤのＴがＴｅｎより短い場合、検出リスト２４Ａに対する端末ＩＤの記録不可と判定する。
【００５８】
本実施の形態によれば、第１の端末１０Ｘおよび第２の端末１０Ｙが同じ時期に振動していない場合は、第１の端末ＩＤおよび第２の端末ＩＤが検出リスト２４Ａに記録されなくなる。このため、検出リスト２４Ａに対する端末ＩＤの記録回数を削減でき、記録される端末ＩＤ数も削減される。これにより、利用者は、管理装置２０であるスマートホンと同じ時期に振動している第１の端末１０Ｘおよび第２の端末１０Ｙのみを検出リスト２４Ａで確認することができ、画面表示された検出リスト２４Ａを認識しやすくなる。
【００５９】
重複期間ＤＤの時間長Ｔについては、カウンタを用いて判定してもよい。図１１は、第１および第２の振動データの比較例（カウンタ）を示す信号波形図である。図１１に示すように、一定周波数のクロック信号で動作する記録判定カウンタＣＲを用いて、判定期間Ｔｅｎ１を計時するようにしてもよい。この際、端末記録部２５は、重複期間ＤＤの開始タイミングに合わせてＣＲを起動し、ＣＲのカウントアップによりＤＤがＴｅｎ１以上連続して検出された場合には端末ＩＤの記録可と判定し、ＤＤがＴｅｎ１より短い場合には端末ＩＤの記録不可と判定する。
【００６０】
また、検出リスト２４Ａに対する端末ＩＤの記録可否を示す記録許可フラグＦＲを設け、ＦＲが記録許可であることを示すオン状態かどうかに基づいて、受信した端末ＩＤの記録可否を確認するようにしてもよい。この際、端末記録部２５は、ＣＲにより判定期間Ｔｅｎ２を計時するものとし、前述のとおり端末ＩＤの記録可と判定された時点で、記録許可フラグＦＲをオン状態とし、ＤＤの終了タイミングでＣＲのカウント動作を開始させ、ＣＲのカウントアップによりＴｅｎ２の経過が確認された時点で、ＦＲをオフ状態とする。
【００６１】
これにより、重複期間ＤＤが判定期間Ｔｅｎ１以上連続して検出されたことを確認した時点から一定長の判定期間Ｔｅｎ２が経過するまでの間が、記録許可期間ＴＲとなる。このため、ＤＤと同じ時期に端末ＩＤを受信した場合にのみ、その端末ＩＤが検出リスト２４Ａに記録されることになり、より安定した端末ＩＤ記録処理を実現することができる。
【００６２】
なお、端末管理部２６において、検出リスト２４Ａに対する端末ＩＤの記録から、予め設定されている記録満了時間が経過した時点で、その端末ＩＤを検出リスト２４Ａから削除するようにしてもよい。これにより、過去に記録した端末ＩＤが画面表示されなくなり、利用者は、画面表示された検出リスト２４Ａを認識しやすくなる。
【００６３】
また、以上では、第１の振動データＤＸと第２の振動データＤＹとの重複期間ＤＤの長さに基づいて端末ＩＤの記録可否を判定する場合について説明したが、一定の検出時間内におけるＤＤの検出回数ＤＮに基づいて端末ＩＤの記録可否を判定するようにしてもよい。
この場合、判定回数ＤＮｔｈを予め設定しておき、ＤＤの開始タイミングに基づきＤＮを計数し、ＤＮ≧ＤＮｔｈとなった時点で、端末ＩＤの記録可と判定するようにしてもよい。
【００６４】
これにより、例えば管理装置２０と同じ時期であって、一定の検出時間内に振動が３回（ＤＮｔｈ＝３）検出されて初めて第１の端末ＩＤおよび第２の端末ＩＤが検出リスト２４Ａに記録されることになる。このため、検出リスト２４Ａに対する端末ＩＤの記録回数を削減でき、記録される端末ＩＤ数も削減される。これにより、利用者は、画面表示された検出リスト２４Ａを認識しやすくなる。
【００６５】
また、第１の端末１０Ｘおよび第２の端末１０Ｙに照度センサを設け、照度センサで検出した照度データを、加速度データと同様に電波で送信し、管理装置２０の端末管理部２６で、第１の端末１０Ｘおよび第２の端末１０Ｙにおける明るさ変化とその変化時刻とを記憶部２４に記録するようにしてもよい。
これにより、物品さらには物体の周囲の明るさ変化の時刻を確認することができ、例えば、物品の明るさが大幅に低下した時刻から、物品をカバンに入れた時刻を推定することが可能となる。
【００６６】
［第４の実施の形態］
次に、図１２を参照して、本発明の第４の実施の形態にかかる物品管理システム１について説明する。図１２は、第４の実施の形態にかかる物品管理システムの構成を示すブロック図である。
本実施の形態では、管理装置２０とは別個に上位装置５０を設け、上位装置５０で第１の端末１０Ｘおよび第２の端末１０Ｙからの第１の端末ＩＤおよび第２の端末ＩＤを検出リスト５２Ａに記録し、上位装置５０から管理装置２０へ検出リスト５２Ａから生成した所在リストを配信することにより、物品に装着されている第１の端末１０Ｘに関する情報提供を行うようにしたものである。
【００６７】
［上位装置］
次に、図１２を参照して本実施の形態にかかる上位装置５０の構成について詳細に説明する。
上位装置５０は、全体としてサーバ装置などの情報処理装置からなり、主な機能部として、通信Ｉ／Ｆ部５１、記憶部５２、端末記録部５３、および配信処理部５４を備えており、これら機能部は内部バスを介してデータ転送自在に接続されている。これら機能部のうち、端末記録部５３および配信処理部５４は、ＣＰＵとプログラム（ともに図示せず）が協働することにより実現される。
【００６８】
通信Ｉ／Ｆ部５１は、ＢＬＥなどの近距離無線通信規格に基づいて、無線中継装置６０を介して第１の端末１０Ｘおよび第２の端末１０Ｙとの間でデータ通信を行う機能と、ＢＬＥなどの近距離無線通信規格、あるいはＷｉ−Ｆｉ（記録商標）などの無線通信規格に基づいて、無線中継装置６０を介して管理装置２０との間でデータ通信を行う機能とを有している。
【００６９】
記憶部５２は、ハードディスクや半導体メモリなどの記憶装置からなり、上位装置５０での物品管理処理に用いる処理データやプログラムを記憶する機能を有している。
記憶部５２で記憶する主な処理データとして、検出リスト５２Ａがある。検出リスト５２Ａは、前述した図２の検出リスト２４Ａと同様に、振動を検出した第１の端末１０Ｘから電波で送信された第１の端末ＩＤと、その受信時刻との組が、リストとして記録されている。また、検出リスト２４Ａには、振動を検出した第２の端末１０Ｙから電波で送信された第２の端末ＩＤと、その受信時刻との組も、リストとして記録されている。
【００７０】
端末記録部５３は、無線中継装置６０を介して通信Ｉ／Ｆ部５１で受信した、第１の端末１０Ｘから電波で送信された第１の振動データにより振動が検出されている第１の検出期間と、第２の端末１０Ｙから電波で送信された第２の振動データにより振動が検出されている第２の検出期間とを比較し、第１および第２の検出期間が互いに重複する重複期間の長さまたは検出回数に基づいて、検出リスト５２Ａに対する第１の端末ＩＤおよび第２の端末ＩＤの記録可否を判定し、記録可の判定に応じて第１の端末ＩＤおよび第２の端末ＩＤを検出リスト５２Ａに順次記録する機能とを有している。
【００７１】
なお、端末記録部５３については、管理装置２０で加速度センサ２７により検出した振動を示す管理側振動データを電波で送信し、管理側振動データにより振動が検出されている管理側検出期間と、第１の検出期間および第２の検出期間とが互いに重複する期間を上記重複期間として用いてもよい。
【００７２】
配信処理部５４は、管理装置２０からの配信要求に応じて、記憶部５２の探索管理情報５２Ｂから、検出リスト５２Ａに組として登録されている、第１の端末ＩＤに関連する端末情報と、第２の端末ＩＤに関連する位置情報とを取得し、得られた端末情報と位置情報と所在リストとして管理装置２０へ配信して情報提供する機能を有している。
【００７３】
また、配信処理部５４は、管理装置２０からの照合要求に応じて、記憶部５２の検出リスト５２Ａに含まれる第１の端末ＩＤと記憶部５２で記憶している確認リスト５２Ｃに含まれる第１の端末ＩＤとを照合し、得られた照合結果を管理装置２０へ配信して情報提供する機能と、検出リスト５２Ａに含まれる第１の端末ＩＤを照合する際、当日の検出リスト５２Ａの日時または曜日と対応する検出リストを、記憶部５２に保存されている過去の検出リストから検索し、得られた検出リストに記録されている第１の端末ＩＤのうち記録率が所定値以上の確率である第１の端末ＩＤからなる確認リスト５２Ｃを生成する機能とを有している。
【００７４】
無線中継装置６０は、無線回線を介して第１の端末１０Ｘおよび第２の端末１０Ｙおよび管理装置２０を収容して上位装置５０に中継接続する機能と、通信ネットワークを介して時刻管理サーバ（図示せず）にアクセスすることにより時刻管理サーバと同期した標準時刻を計時する機能と、第１の端末１０Ｘおよび第２の端末１０Ｙから電波で送信された端末ＩＤを上位装置５０へ中継転送する際、中継転送時の標準時刻を端末ＩＤに関する受信時刻として上位装置５０へ通知する機能とを有している。これにより、受信時刻の精度を劣化させることなく、第１の端末１０Ｘおよび第２の端末１０Ｙさらには管理装置２０の収容エリアを大幅に拡大できる。
【００７５】
また、無線中継装置６０は、無線中継回線を介して相互に接続された親機６１と子機６２から構成してもよい。この場合、子機６２は、第１の端末１０Ｘおよび第２の端末１０Ｙおよび管理装置２０を収容し、無線中継回線を介して親機６１に中継接続する機能を有している。また、親機６１は、子機６２を介して中継接続された第１の端末１０Ｘおよび第２の端末１０Ｙおよび管理装置２０を上位装置５０に中継接続し、上位装置５０へ受信時刻を通知する際、予め計測して得られた無線中継回線における遅延時間に基づいて受信時刻を補正した後、上位装置５０へ通知する機能とを有している。これにより、受信時刻の精度を劣化させることなく、第１の端末１０Ｘおよび第２の端末１０Ｙさらには管理装置２０の収容エリアを大幅に拡大できる。
【００７６】
［第４の実施の形態の動作］
次に、図１３を参照して、本実施の形態にかかる物品管理システム１の動作について説明する。図１３は、第４の実施の形態にかかる物品管理動作を示すシーケンス図である。
ここでは、複数の所持品が入ったカバンを所持して利用者が外出する際、利用者のスマートホンでこれら所持品を確認する場合を例として説明する。なお、各所持品には予め第１の端末１０Ｘが装着されているものとし、カバンには予め第２の端末１０Ｙが装着されているものとし、管理装置２０の機能を実現するアプリがスマートホンにインストールされているものとする。
【００７７】
利用者が複数の所持品が入ったカバンを持ち上げた場合、第１の端末１０Ｘおよび第２の端末１０Ｙの加速度センサ１１により所持品の振動が検出されて（ステップ３００）、振動の検出を示す第１の振動データと自己の端末ＩＤとが、第１の端末１０Ｘおよび第２の端末１０Ｙの無線回路１３から一斉に電波で送信される（ステップ３０１）。
【００７８】
上位装置５０は、通信Ｉ／Ｆ部５１により無線中継装置６０を介して、第１の端末１０Ｘおよび第２の端末１０Ｙからの第１の振動データおよび第２の振動データを受信し、第１の振動データにより振動が検出されている第１の検出期間と、第２の振動データにより振動が検出されている第２の検出期間とを比較する。
比較の結果、第１および第２の検出期間が互いに重複する重複期間の長さまたは検出回数に基づいて、検出リスト５２Ａに対する端末ＩＤの記録可否を判定し、記録可の判定に応じて第１の端末ＩＤおよび第２の端末ＩＤを検出リスト５２Ａに順次記録する（ステップ３０２）。
【００７９】
この際、第１の端末１０Ｘおよび第２の端末１０Ｙにおける加速度データ（加速度信号）から振動データの生成や閾値処理については、前述した図９と同様である。第１の端末１０Ｘおよび第２の端末１０Ｙの加速度データについては、端末記録部５３で閾値処理を行うようにしてもよく、第１の端末１０Ｘおよび第２の端末１０Ｙの回路構成や消費電力を軽減できる。
また、端末記録部５３における第１の振動データおよび第２の振動データの比較や記録可否判定については、前述した図１０や図１１と同様である。
【００８０】
配信処理部５４は、第１の端末１０Ｘおよび第２の端末１０Ｙの記録後、記憶部５２から検出リスト５２Ａを取得し、探索管理情報５２Ｂから第１の端末ＩＤに関連する端末情報と、第２の端末ＩＤに関連する位置情報とを取得し、得られた端末情報と位置情報と所在リストとして、通信Ｉ／Ｆ部５１から無線中継装置６０を介して管理装置２０へ配信する（ステップ３０３）。
管理装置２０の端末管理部２６は、無線Ｉ／Ｆ部２１を介して上位装置５０からの所在リストを受信して表示部２３で画面表示する（ステップ３０４）。
【００８１】
また、管理装置２０の端末管理部２６は、操作入力部２２で検出した利用者の照合指示に応じて（ステップ３１０）、検出リスト５２Ａに関する照合要求を、無線Ｉ／Ｆ部２１を介して上位装置５０へ電波で送信する（ステップ３１１）。なお、ビーコン端末を出入口などの所定の場所に設置しておき、ビーコン端末からのビーコン信号を管理装置２０が受信した時点で、端末管理部２６が照合要求を電波で送信するようにしてもよい。これにより、利用者が特定の場所へ移動した時点でＩＤを自動照合することができる。
【００８２】
上位装置５０の配信処理部５４は、無線中継装置６０を介して通信Ｉ／Ｆ部５１で受信した管理装置２０からの照合要求に応じて、検出リスト５２Ａに含まれる第１の端末ＩＤと記憶部５２で記憶している確認リスト５２Ｃに含まれる第１の端末ＩＤとを照合し（ステップ３１２）、得られた照合結果を管理装置２０へ配信する（ステップ３１３）。
【００８３】
管理装置２０の端末管理部２６は、上位装置５０からの照合結果を受信し、その照合結果を可視、可聴、または振動により報知する（ステップ３１４）。
これにより、前述のようにして、外出時の振動により所持品の第１の端末１０Ｘおよび第２の端末１０Ｙから送信されて検出リスト５２Ａに記録されている端末ＩＤが、管理装置２０からの照合要求に応じて、確認リスト５２Ｃの端末ＩＤと照合される。
【００８４】
したがって、確認リスト５２Ｃの端末ＩＤが検出リスト５２Ａに記録されていない場合には、その端末ＩＤと対応する所持品が忘れ物に該当することになる。このため、照合結果が検出リスト５２Ａに未記録の端末ＩＤが発見された旨を示す場合、可視、可聴、または振動により管理装置２０の表示部２３でアラートを報知すれば、利用者は直ちに忘れ物があることを認識することができる。これにより、物品管理システム１で忘れ物通知システムを実現することが可能となる。
【００８５】
また、上位装置５０の配信処理部５４は、検出リスト５２Ａの端末ＩＤを照合する際、当日の検出リスト５２Ａの日時または曜日と対応する検出リストを、記憶部５２に保存されている過去の検出リストから検索し、確認リスト５２Ｃとして選択するようにしてもよい。
これにより、例えば前日の検出リスト５２Ａを当日の確認リスト５２Ｃとして選択することができ、確認リスト５２Ｃの設定に要する作業負担を軽減することができる。
【００８６】
したがって、本実施の形態によれば、管理側振動データを用いた場合、管理装置２０が第１の端末１０Ｘおよび第２の端末１０Ｙと同じ時期に振動していない場合は、第１の端末１０Ｘおよび第２の端末１０Ｙからの端末ＩＤが検出リスト５２Ａに記録されなくなる。このため、検出リスト５２Ａに対する端末ＩＤの記録回数を削減でき、記録される端末ＩＤ数も削減される。これにより、利用者は、管理装置２０であるスマートホンと同じ時期に振動している第１の端末１０Ｘおよび第２の端末１０Ｙのみを検出リスト５２Ａで確認することができ、画面表示された検出リスト５２Ａを認識しやすくなる。
【００８７】
また、本実施の形態によれば、検出リスト５２Ａが確認リスト５２Ｃと照合されるため、確認リスト５２Ｃの端末ＩＤが検出リスト５２Ａに記録されていない場合には、その端末ＩＤと対応する所持品が忘れ物に該当することになる。このため、照合結果が検出リスト５２Ａに未記録の端末ＩＤが発見された旨を示す場合、可視、可聴、または振動により管理装置２０の表示部２３でアラートを報知すれば、利用者は直ちに忘れ物があることを認識することができる。これにより、物品管理システム１で忘れ物通知システムを実現することが可能となる。
【００８８】
また、端末記録部５３は、検出リスト５２Ａの端末ＩＤを照合する際、当日の検出リスト５２Ａの日時または曜日と対応する検出リストを、記憶部５２に保存されている過去の検出リストから検索し、確認リスト５２Ｃとして選択するようにしてもよい。
これにより、例えば前日の検出リスト５２Ａを当日の確認リスト５２Ｃとして選択することができ、確認リスト５２Ｃの設定に要する作業負担を軽減することができる。
【００８９】
この際、前日の検出リスト５２Ａを確認リスト５２Ｃとした場合、当日の持ち物が前日と照合されるため、前日所持していたのに当日所持していない所持品、すなわち忘れ物を容易に確認できる。これにより、会社員が会社に通勤する際に財布や社員証などの持ち物を確認でき、作業者が現場に出向く際に道具や工具などの持ち物を確認することができる。
また、先週の検出リスト５２Ａを確認リスト５２Ｃとした場合、当日の持ち物が先週と照合されるため、先週所持していたのに当日所持していない所持品、すなわち忘れ物を容易に確認できる。これにより、学習者が特定の曜日に習い事に通う際に、習い事で用いる持ち物を確認することができる。
【００９０】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００９１】
１…物品管理システム、１０，１０Ｘ，１０Ａ，１０Ｂ，１０Ｃ，１０Ｄ…第１の端末、１０Ｙ，１０Ｅ…第２の端末、１１…加速度センサ、１２…Ａ／Ｄ変換器、１３…無線回路、１５…ビーコン端末、２０…管理装置、２１…無線Ｉ／Ｆ部、２２…操作入力部、２３…表示部、２４…記憶部、２４Ａ…検出リスト、２４Ｂ…探索管理情報、２４Ｃ…確認リスト、２４Ｐ…プログラム、２５…端末記録部、２６…端末管理部、２７…加速度センサ、３０…カバン、３１…免許証、３２…鍵、３３…社員証、３４…財布、５０…上位装置、５１…通信Ｉ／Ｆ部、５２…記憶部、５２Ａ…検出リスト、５２Ｂ…探索管理情報、５２Ｃ…確認リスト、５３…端末記録部、５４…配信処理部、６０…無線中継装置、６１…親機、６２…子機。
【図１】
2019219909.tif 000003
【図２】
2019219909.tif 000004
【図３】
2019219909.tif 000005
【図４】
2019219909.tif 000006
【図５】
2019219909.tif 000007
【図６】
2019219909.tif 000008
【図７】
2019219909.tif 000009
【図８】
2019219909.tif 000010
【図９】
2019219909.tif 000011
【図１０】
2019219909.tif 000012
【図１１】
2019219909.tif 000013
【図１２】
2019219909.tif 000014
【図１３】
2019219909.tif 000015